【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
シートに画像を形成する画像形成部と、
前記画像形成部によって画像が形成された前記シートを反転させる反転部と、
前記反転部によって反転された前記シートを排出する排出部と、
前記画像形成部によって画像が形成されるシートの位置を検知するシート位置検知部と、
前記シート位置検知部からの検知情報に基づいて前記反転部の起動タイミングを制御する制御手段と、
前記画像形成部に接続されて前記シートを受取るシート後処理装置と、を備え、
前記制御手段は、前記シート位置検知部の検知情報、及び、前記シート後処理装置が前記シートを受取可能な先行のシート及び後続のシートの間のシート間時間に応じて、前記画像形成部で画像形成される先行のシート及び後続のシートの間のシート間時間が所定のシート間時間となるように、前記反転部の起動タイミングを制御することを特徴とする画像形成システム。
【請求項２】
シートに画像を形成する画像形成部と、
前記画像形成部によって画像が形成された前記シートを反転させる反転部と、
前記反転部によって反転された前記シートを排出する排出部と、
前記画像形成部によって画像が形成されるシートの位置を検知するシート位置検知部と、
前記シート位置検知部からの検知情報に基づいて前記反転部の反転速度を制御する制御手段と、
前記画像形成部に接続されて前記シートを受け取るシート後処理装置と、を備え、
前記制御手段は、前記シート位置検知部の検知情報、及び、前記シート後処理装置が前記シートを受取可能な先行のシート及び後続のシートの間のシート間時間に応じて、前記画像形成部で画像形成される先行のシート及び後続のシートの間のシート間時間が所定のシート間時間となるように、前記反転部の反転速度を制御することを特徴とする画像形成システム。
【請求項３】
前記制御手段は、前記シート位置検知部が検知した先行のシート及び後続のシートの間のシート間時間が前記シート後処理装置が受け取り可能なシート間時間より小さいと判断すると、前記シート後処理装置がシートを受取可能なシート間時間以上となるように前記反転部の駆動を制御することを特徴とする請求項１または２に記載の画像形成システム。
【請求項４】
前記制御手段は、前記シート位置検知部が検知した先行のシート及び後続のシートの間のシート間時間が前記シート後処理装置が受け取り可能なシート間時間より小さいと判断すると、前記シート後処理装置がシートを受取可能なシート間時間以上となるように前記反転部の起動タイミングを遅くすることを特徴とする請求項１に記載の画像形成システム。
【請求項５】
前記制御手段は、前記シート位置検知部が検知した先行のシート及び後続のシートの間のシート間時間が前記シート後処理装置が受け取り可能なシート間時間より小さいと判断すると、前記シート後処理装置がシートを受取可能なシート間時間以上となるように前記反転部の減速ポイントを上流側にすることを特徴とする請求項２に記載の画像形成システム。
【請求項６】
シートに画像を形成する画像形成部と、
前記画像形成部によって画像が形成された前記シートを前記画像形成部より排出する排出部と、
前記画像形成部によって画像が形成された前記シートを前記排出部に搬送する搬送部と、
前記画像形成部によって画像が形成された前記シートの位置を検知するシート位置検知部と、
前記シート位置検知部からの検知情報に基づいて前記搬送部の起動タイミング及び速度を制御する制御手段と、
前記画像形成部に接続されて前記シートを受け取るシート後処理装置と、を備え、
前記制御手段は、前記シートを排出する際に、前記シート位置検知部の検知情報に基づいて、前記シート後処理装置が前記シートを受取可能な先行のシート及び後続のシートの間のシート間時間以上となるように、前記搬送部の起動タイミング及び速度を制御することを特徴とする画像形成システム。
【手続補正２】
【補正対象書類名】明細書
【補正対象項目名】００１５
【補正方法】変更
【補正の内容】
【００１５】
前記目的を達成するため、本発明の画像形成システムは、シートに画像を形成する画像形成部と、前記画像形成部によって画像が形成された前記シートを反転させる反転部と、前記反転部によって反転された前記シートを排出する排出部と、前記画像形成部によって画像が形成されるシートの位置を検知するシート位置検知部と、前記シート位置検知部からの検知情報に基づいて前記反転部の起動タイミングを制御する制御手段と、前記画像形成部に接続されて前記シートを受取るシート後処理装置と、を備え、前記制御手段は、前記シート位置検知部の検知情報、及び、前記シート後処理装置が前記シートを受取可能な先行のシート及び後続のシートの間のシート間時間に応じて、前記画像形成部で画像形成される先行のシート及び後続のシートの間のシート間時間が所定のシート間時間となるように、前記反転部の起動タイミングを制御することを特徴とする。
【手続補正３】
【補正対象書類名】明細書
【補正対象項目名】００１６
【補正方法】変更
【補正の内容】
【００１６】
また、本発明の他の画像形成システムは、シートに画像を形成する画像形成部と、前記画像形成部によって画像が形成された前記シートを反転させる反転部と、前記反転部によって反転された前記シートを排出する排出部と、前記画像形成部によって画像が形成されるシートの位置を検知するシート位置検知部と、前記シート位置検知部からの検知情報に基づいて前記反転部の反転速度を制御する制御手段と、前記画像形成部に接続されて前記シートを受け取るシート後処理装置と、を備え、前記制御手段は、前記シート位置検知部の検知情報、及び、前記シート後処理装置が前記シートを受取可能な先行のシート及び後続のシートの間のシート間時間に応じて、前記画像形成部で画像形成される先行のシート及び後続のシートの間のシート間時間が所定のシート間時間となるように、前記反転部の反転速度を制御することを特徴とする。
【手続補正４】
【補正対象書類名】明細書
【補正対象項目名】００１７
【補正方法】変更
【補正の内容】
【００１７】
また、本発明の他の画像形成システムは、シートに画像を形成する画像形成部と、前記画像形成部によって画像が形成された前記シートを前記画像形成部より排出する排出部と、前記画像形成部によって画像が形成された前記シートを前記排出部に搬送する搬送部と、前記画像形成部によって画像が形成された前記シートの位置を検知するシート位置検知部と、前記シート位置検知部からの検知情報に基づいて前記搬送部の起動タイミング及び速度を制御する制御手段と、前記画像形成部に接続されて前記シートを受け取るシート後処理装置と、を備え、前記制御手段は、前記シートを排出する際に、前記シート位置検知部の検知情報に基づいて、前記シート後処理装置が前記シートを受取可能な先行のシート及び後続のシートの間のシート間時間以上となるように、前記搬送部の起動タイミング及び速度を制御することを特徴とする。
【手続補正５】
【補正対象書類名】明細書
【補正対象項目名】００３４
【補正方法】変更
【補正の内容】
【００３４】
ここで、図２において、画像形成部１０の称呼の紙間時間（シート間時間）をＡ（ｍｓ）（図４参照）とする。Ａは画像形成システム１の生産性に基づいて算出された標準動作値である。また、給送遅れも含めた画像形成部１０における先行シートＳ１と後続シートＳ２との紙間時間（シート間時間）をΔＴｐとし、フィニッシャ１００が受取可能な先行シートＳ１と後続シートＳ２との紙間時間（シート間時間）をΔＴｆ以上とする。また、反転部における先行シートＳ１と後続シートＳ２との紙間時間（シート間時間）をΔＴとする。